(57)【要約】【課題】調湿部材によって空気を調湿する調湿装置において、調湿部材に含まれる水を確実に浄化できるようにする。【解決手段】空気中へ水を放出する加湿ロータ（43）の近傍に、第１電極（51）と第２電極（52）とを有する水浄化用放電部（50）を設ける。水浄化用放電部（50）では、両電極（51,52）の間で放電が行われ、放電に伴い活性種が発生する。加湿ロータ（43）中の水分と活性種とが接触することで、加湿ロータ（43）中の水が確実に浄化される。【選択図】図４
2009154118.tif 000002
【特許請求の範囲】
【請求項１】
空気中の水分を捕捉する又は水分を空気中へ放出する調湿部材（31,43）を備え、該調湿部材（31,43）で空気の湿度を調節する調湿装置であって、
上記調湿部材（31,43）中の水分を浄化する活性種を発生するように放電を行う放電手段（50）を更に備えていることを特徴とする調湿装置。
【請求項２】
請求項１において、
上記放電手段（50）は、上記調湿部材（31,43）を指向するように放電を行うように構成されていることを特徴とする調湿装置。
【請求項３】
請求項２において、
上記調湿部材（31,43）は、複数の通気孔を有する板状に構成され、
上記放電手段（50）は、上記調湿部材（31,43）を挟むように該調湿部材（31,43）の厚さ方向の両側に設けられる第１及び第２の電極（51,52）を備え、両電極（51,52）の間で放電を行うように構成されていることを特徴とする調湿装置。
【請求項４】
請求項１又は２において、
上記放電手段（50）は、上記調湿部材（31,43）に対向する第１電極（51）と、該第１電極（51）と調湿部材（31,43）の間に設けられると共に複数の通気孔を有する第２電極（52）とを備え、第１電極（51）から第２電極（52）に向かって放電を行うように構成されていることを特徴とする調湿装置。
【請求項５】
請求項１乃至４のいずれか１つにおいて、
上記調湿部材は、吸水材を有して回転自在な調湿ロータ（31,43）で構成され、
上記放電手段（50）は、上記調湿ロータ（31,43）の一部の領域のみに放電領域（A2）を形成するように構成されていることを特徴とする調湿装置。
【請求項６】
請求項５において、
上記調湿ロータ（43）に水を供給する水供給手段（42）と、
上記調湿ロータ（43）を加熱する加熱手段（48）とを更に備え、
上記調湿ロータ（43）は、上記水供給手段（42）によって水が供給される水供給領域（A1）と、上記放電領域（A2）と、空気中へ水分を放出するように上記加熱手段（48）によって加熱される加熱領域（A3）とに跨るように配設されていることを特徴とする調湿装置。
【請求項７】
請求項６において、
上記調湿ロータ（43）は、その一部が上記水供給領域（A1）、上記放電領域（A2）、及び上記加熱領域（A3）を順に変位するように構成されていることを特徴とする調湿装置。
【請求項８】
請求項６において、
上記放電領域（A2）と上記加熱領域（A3）とが、同じ位置に形成されていることを特徴とする調湿装置。
【請求項９】
請求項１乃至請求項８のいずれか１つにおいて、
空気を浄化するための空気浄化手段（20）を更に備えていることを特徴とする調湿装置。
【発明の詳細な説明】
【技術分野】
【０００１】
本発明は、空気を調湿する調湿部材を備えた調湿装置に関し、特に調湿部材に含まれる水の浄化対策に係るものである。
【背景技術】
【０００２】
従来より、室内等の空気の湿度を調節するための調湿装置が広く知られている。特許文献１には、この種の調湿装置が開示されている。
【０００３】
特許文献１に開示の調湿装置は、調湿部材としての吸着ロータを備えている。吸着ロータは、空気が流通可能な基材の表面に吸着剤が担持されており、２つの空気通路に跨るように回転自在に構成されている。吸着ロータでは、一方の空気通路に臨む部位で空気中の水分を捕捉する動作が行われ、他方の空気通路に臨む部位で空気中へ水分を放出する動作が行われる。そして、この調湿装置では、吸着ロータで空気中の水分を捕捉した後の空気を室内へ供給することで、室内の除湿が行われる。また、吸着ロータから空気中へ水分を放出した後の空気を室内へ供給することで、室内の加湿が行われる。
【特許文献１】特開２００４−３５４００９号公報
【発明の開示】
【発明が解決しようとする課題】
【０００４】
特許文献１に開示のように、空気中の水分を捕捉する、あるいは空気中へ水分を放出する調湿部材を用いて空気を除湿する調湿装置では、この調湿部材を連続的に空気が通過することになる。ここで、調湿部材を通過する空気中には、アンモニアやホルムアルデヒド等の有害成分や臭気成分が含まれていることがある。このため、調湿部材には、水分と共にこのような臭気成分が捕捉／吸収されることがある。その結果、例えば加湿運転時において、このような臭気成分や有害成分が室内へ供給されて、室内の清浄度が損なわれてしまうという問題が生じる。また、調湿部材に含まれる水中で菌が増殖することにより、異臭が発生したり、このような菌が室内へ供給されて室内の清浄度が損なわれてしまうという問題が生じる。
【０００５】
本発明は、かかる点に鑑みてなされたものであり、その目的は、調湿部材によって空気中の水分を捕捉する、あるいは空気中へ水分を放出する調湿装置において、調湿部材に含まれる水を確実に浄化することである。
【課題を解決するための手段】
【０００６】
第１の発明は、空気中の水分を捕捉する又は水分を空気中へ放出する調湿部材（31,43）を備え、該調湿部材（31,43）で空気の湿度を調節する調湿装置を前提としている。そして、この調湿装置は、上記調湿部材（31,43）中の水分を浄化する活性種を発生するように放電を行う放電手段（50）を更に備えていることを特徴とするものである。
【０００７】
第１の発明では、調湿部材（31,43）によって空気の除湿や加湿が行われる。具体的には、調湿部材（31,43）で空気中の水分を捕捉すると、この空気が除湿される。除湿された空気を室内へ供給することで、室内の除湿が可能となる。また、調湿部材（31,43）から空気中へ水分を放出すると、この空気が加湿される。加湿された空気を室内へ供給することで、室内の加湿が可能となる。
【０００８】
本発明の調湿装置には、上記のようにして調湿部材（31,43）に含まれる水を浄化するために放電手段（50）が設けられる。放電手段（50）では、所定の放電（ストリーマ放電、沿面放電、コロナ放電等）が行われる。放電手段（50）の放電に伴い、浄化成分としての活性種（ラジカル、オゾン、高速電子、励起分子等）が生成される。調湿部材（31,43）中の水分と活性種とが接触／反応すると、この水に含まれる有害成分等が活性種により酸化分解される。また、上記活性種により、調湿部材（31,43）に含まれる水中での殺菌が行われる。その結果、調湿部材（31,43）中の水が浄化される。従って、例えば加湿運転時において、この水を空気中へ放出して室内へ供給しても、室内の清浄度が損なわれてしまうことを回避できる。
【０００９】
第２の発明は、第１の発明の調湿装置において、上記放電手段（50）は、上記調湿部材（31,43）を指向するように放電を行うように構成されていることを特徴とするものである。
【００１０】
第２の発明では、放電手段（50）が調湿部材（31,43）を指向するように放電を行う。その結果、放電に伴って発生する活性種と、調湿部材（31,43）中の水分との接触効率が高まり、この水の浄化効率が向上する。
【００１１】
第３の発明は、第２の発明の調湿装置において、上記調湿部材（31,43）は、複数の通気孔を有する板状に構成され、上記放電手段（50）は、上記調湿部材（31,43）を挟むように該調湿部材（31,43）の厚さ方向の両側に設けられる第１及び第２の電極（51,52）を備え、両電極（51,52）の間で放電を行うように構成されていることを特徴とするものである。
【００１２】
第３の発明の調湿部材（31,43）は、複数の通気孔を有する板状に形成される。そして、この調湿部材（31,43）の一方の側方に第１電極（51）が設けられ、他方の側方に第２電極（52）が設けられる。放電手段（50）では、調湿部材（31,43）を挟むようにして、両電極（51,52）の間で放電が行われる。その結果、放電に伴って発生する活性種は、確実に調湿部材（31,43）の通気孔を通過することになるので、調湿部材（31,43）中の水分と活性種との接触効率が更に高まり、この水の浄化効率も更に向上する。
【００１３】
第４の発明は、第１又は第２の発明の調湿装置において、上記放電手段（50）は、上記調湿部材（31,43）に対向する第１電極（51）と、該第１電極（51）と調湿部材（31,43）の間に設けられると共に複数の通気孔を有する第２電極（52）とを備え、第１電極（51）から第２電極（52）に向かって放電を行うように構成されていることを特徴とするものである。
【００１４】
第４の発明では、調湿部材（31,43）に対向するように第１電極（51）が設けられ、調湿部材（31,43）と第１電極（51）との間に第２電極（52）が設けられる。放電手段（50）では、第１電極（51）から第２電極（52）に向かって放電が行われる。その結果、放電に伴い発生する活性種は、第２電極（52）の通気孔を通じて調湿部材（31,43）へ供給される。これにより、調湿部材（31,43）中の水分と活性種とが接触／反応し、この水の浄化が行われる。
【００１５】
第５の発明は、第１乃至第４のいずれか１つの発明の調湿装置において、上記調湿部材は、吸水材を有して回転自在な調湿ロータ（31,43）で構成され、上記放電手段（50）は、上記調湿ロータ（31,43）の一部の領域のみに放電領域（A2）を形成するように構成されていることを特徴とするものである。なお、ここでいう「吸水材」とは、水分を捕捉する、あるいは水分を放出する機能を有する材料であり、吸水性を有するものだけでなく、水分を吸着／脱着する機能を有する吸着材も含む意味である。
【００１６】
第５の発明の調湿部材は、回転自在な調湿ロータ（31,43）で構成される。調湿ロータ（31,43）では、所定部位に空気中の水分が捕捉されることで空気の除湿が行われる。また、調湿ロータ（31,43）では、所定部位の水分が空気中へ放出されることで空気の加湿が行われる。
【００１７】
ここで、本発明の放電手段（50）は、調湿ロータ（31,43）の一部の領域にのみ放電領域（A2）を形成している。そして、回転時の調湿ロータ（31,43）では、その所定部位が変位して、放電領域（A2）を順に通過することになる。その結果、調湿ロータ（31,43）中の水は、放電領域（A2）で生成する活性種によって順に浄化されていく。
【００１８】
第６の発明は、第５の発明の調湿装置において、上記調湿ロータ（31,43）に水を供給する水供給手段（42）と、上記調湿ロータ（31,43）を加熱する加熱手段（48）とを更に備え、上記調湿ロータ（31,43）は、上記水供給手段（42）によって水が供給される水供給領域（A1）と、上記放電領域（A2）と、空気中へ水分を放出するように上記加熱手段（48）によって加熱される加熱領域（A3）とに跨るように配設されていることを特徴とするものである。
【００１９】
第６の発明の調湿ロータ（43）は、水供給領域（A1）と放電領域（A2）と加熱領域（A3）とに跨るように配設される。水供給領域（A1）では、水供給手段（42）から水が供給される。その結果、調湿ロータ（43）の吸水材には、水分が吸収あるいは吸着される。また、放電領域（A2）では、放電手段（50）の放電に伴う活性種が供給される。その結果、調湿ロータ（43）に含まれる水が浄化される。更に、加熱領域（A3）では、加熱手段（48）によって調湿ロータ（43）が加熱される。その結果、調湿ロータ（43）で加熱された部位から水分が気化／あるいは脱離し、空気中へ水分が放出される。水分が放出された加湿された空気は、例えば室内の加湿に利用される。
【００２０】
第７の発明は、第６の発明の調湿装置において、上記調湿ロータ（43）は、その一部が上記水供給領域（A1）、上記放電領域（A2）、及び上記加熱領域（A3）を順に変位するように構成されていることを特徴とするものである。
【００２１】
第７の発明では、調湿ロータ（43）が回転することで、この調湿ロータ（43）の所定部位が水供給領域（A1）、放電領域（A2）、及び加熱領域（A3）を順に通過する。即ち、調湿ロータ（43）では、まず、水供給領域（A1）に変位した部位に水が補給され、次いで放電領域（A2）に変位した部位で水が浄化され、更に加熱領域（A3）に変位した部位で水が空気中へ放出される。以上のように、調湿ロータ（43）では、水の補給→水の浄化→水の放出→水の補給→…という動作が連続的に繰り返される。
【００２２】
第８の発明は、第６の発明の調湿装置において、上記放電領域（A2）と上記加熱領域（A3）とが、同じ位置に形成されていることを特徴とするものである。
【００２３】
第８の発明では、放電手段（50）によって放電が行われる放電領域（A2）と、加熱手段（48）によって加熱される加熱領域（A3）とが同じ位置に形成される。つまり、調湿ロータ（43）では、その所定部位において、水の浄化と空気中への水の放出とが同時に行われる。
【００２４】
第９の発明は、第１乃至第８のいずれか１つの発明の調湿装置において、空気を浄化するための空気浄化手段（20）を更に備えていることを特徴とするものである。
【００２５】
第９の発明の調湿装置には、空気を浄化するための空気浄化手段（20）が設けられる。つまり、本発明の調湿装置は、調湿部材（31,43）による空気の調湿機能と空気浄化機能との双方が具備される。このように、調湿装置を空気浄化の用途として用いる場合、被処理空気には、多量の有害物質や臭気物質が含まれることになる。従って、調湿部材（31,43）では、有害成分等が吸収／吸着され易く、更に細菌等の増殖が促されてしまう。しかしながら、本発明においても、放電手段（50）の放電に伴って発生する活性種により、調湿部材（31,43）の水中に含まれる有害物質の除去や殺菌が行われる。従って、例えば加湿運転時において、この水を空気中へ放出して室内へ供給しても、室内の清浄度が損なわれてしまうことを回避できる。
【発明の効果】
【００２６】
本発明では、空気の調湿を行うための調湿部材（31,43）に含まれる水を放電手段（50）によって発生する活性種により浄化するようにしている。即ち、本発明によれば、被処理空気中の有害成分や臭気成分が調湿部材（31,43）の水中に吸収されてしまった場合にも、上記活性種によりこれらの有害成分等を酸化分解して除去することができる。また、活性種により、調湿部材（31,43）に含まれる水中での殺菌を行うことができる。その結果、例えば加湿運転時において、調湿部材（31,43）から空気中へ加湿水と共に有害成分や細菌等が放出されることを回避でき、室内の清浄度を保つことができる。また、例えば除湿運転時において、調湿部材（31,43）に含まれる水中の有害成分等の除去や殺菌を行うことにより、調湿部材（31,43）から臭気が発生してしまうことも回避できる。
【００２７】
また、第２や第４の発明によれば、放電手段（50）で調湿部材（31,43）を指向するように放電を行うようにしているので、調湿部材（31,43）中の水と活性種との接触／反応効率を向上できる。従って、調湿部材（31,43）中の有害成分等を効果的に除去でき、且つ殺菌効果も向上できる。
【００２８】
特に第３の発明によれば、調湿部材（31,43）を挟み込むように第１電極（51）と第２電極（52）とを設け、両電極（51,52）の間で放電を行うようにしている。その結果、調湿部材（31,43）中の水分と活性種とが更に接触／反応し易くなり、水の浄化効率を更に向上できる。
【００２９】
また、第５の発明によれば、回転自在な調湿ロータ（31,43）の一部の領域にのみ放電領域（A2）を形成しているので、放電手段（50）をコンパクトに構成することができ、装置の小型化を図ることができる。また、調湿ロータ（31,43）の所定部位に対して、比較的高濃度の活性種を供給できるので、調湿ロータ（31,43）中の水分の浄化効率を高めることができる。
【００３０】
第６の発明では、水供給領域（A1）と放電領域（A2）と加熱領域（A3）とに跨るように調湿ロータ（31,43）を設けるようにしている。このため、本発明によれば、比較的コンパクトな構造で、調湿ロータ（43）に対する水の補給と、水の浄化と、空気への水の放出（調湿ロータ（43）の加熱再生）とを連続的に同時に行うことができる。
【００３１】
また、水供給手段（42）により調湿ロータ（43）へ供給される水が例えば上水である場合、この水中にトリハロメタン等の有機性塩素化合物が含まれている場合がある。本発明によれば、このような供給水に含まれる有害物質等も上記活性種により除去することができ、より清浄な水を空気中へ放出させることができる。
【００３２】
特に第７の発明の調湿ロータ（43）では、水の補給→水の浄化→水の放出→水の補給→…という順で各動作を行うようにしている。このため、本発明によれば、補給した水を確実に浄化できると共に、空気中へ浄化後の水を確実に放出させることができる。従って、空気中へ放出された水により室内等の清浄度が損なわれてしまうのを一層確実に回避できる。
【００３３】
また、第８の発明によれば、加熱領域（A3）と放電領域（A2）とを同じ位置に形成するようにしたので、調湿ロータ（43）をコンパクトに構成でき、装置の小型化を図ることができる。また、放電領域（A2）の放電を利用して調湿ロータ（43）を加熱することもできる。従って、調湿ロータ（43）から空気中への水の放出能力（即ち、調湿ロータ（43）の再生能力）を向上できる。
【００３４】
更に、第９の発明によれば、空気を調湿できるだけでなく、空気の清浄化できる調湿装置を提供することができる。
【発明を実施するための最良の形態】
【００３５】
以下、本発明の実施形態を図面に基づいて詳細に説明する。
【００３６】
《実施形態１》
実施形態１に係る調湿装置（10）は、室内の空気を浄化しながら加湿する運転が可能に構成されている。
【００３７】
〈調湿装置の全体構成〉
図１及び図２に示すように、調湿装置（10）は、ケーシング（11）を有している。ケーシング（11）は、前後に扁平な矩形状に形成されている。ケーシング（11）には、その前側（図１における左側寄り）に前面パネル（11a）が形成されている。前面パネル（11a）には、空気をケーシング（11）内に導入するための吸込口（12）が形成されている（図２を参照）。吸込口（12）は、例えば前面パネル（11a）の左右側方にそれぞれ形成されている。また、ケーシング（11）には、その上部後方寄りの部位にケーシング（11）内の空気を吹き出すための吹出口（13）が形成されている。そして、ケーシング（11）の内部には、上記吸込口（12）から吹出口（13）に亘って空気が流通する空気通路（14）が形成されている。
【００３８】
図２に示すように、空気通路（14）には、空気の流れの上流側から下流側に向かって順に、プレフィルタ（21）、イオン化部（22）、プリーツフィルタ（23）、加湿ユニット（40）、及び遠心ファン（15）が設けられている。
【００３９】
〈空気浄化手段の構成〉
図２に示すように、調湿装置（10）は、空気を浄化するための空気浄化手段（20）として、上述したプレフィルタ（21）、イオン化部（22）、プリーツフィルタ（23）を有している。
【００４０】
プレフィルタ（21）は、空気中に含まれる比較的大きな塵埃を物理的に捕捉する集塵用のフィルタを構成している。
【００４１】
イオン化部（22）は、空気中の塵埃を帯電させる塵埃荷電手段を構成している。イオン化部（22）には、例えば線状の電極と、この線状の電極に対向する板状の電極とが設けられている。イオン化部（22）では、両者の電極に電源（図示省略）から電圧が印加されることで、両電極の間でコロナ放電が行われる。このコロナ放電により、空気中の塵埃が所定の電荷（正又は負の電荷）に帯電される。
【００４２】
プリーツフィルタ（23）は、波板状の静電フィルタを構成している。つまり、プリーツフィルタ（23）では、上記イオン化部（22）で帯電された塵埃が電気的に誘引されて捕捉される。なお、プリーツフィルタ（23）に光触媒等の脱臭用の材料を担持させても良い。
【００４３】
〈加湿ユニットの構成〉
図３に示すように、加湿ユニット（40）は、水を貯留するための水タンク（41）と、水タンク（41）の水を汲み上げる水車（42）と、水車（42）によって汲み上げられた水を空気中へ付与する加湿手段を構成する加湿ロータ（43）と、加湿ロータ（43）を回転駆動するための駆動モータ（44）とを備えている。更に、加湿ユニット（40）には、加湿ロータ（43）を加熱するためのヒータ（48）と、加湿ロータ（43）に含まれる水を浄化するための水浄化用放電部（50）とが設けられている（図２を参照）。
【００４４】
水タンク（41）は、上側が開口する横長の水容器を構成している。水タンク（41）は、ケーシング（11）内の下部の空間に設置され、ケーシング（11）の引出口（11b）を通じて出し入れ自在に構成されている（図１を参照）。これにより、ユーザー等は水タンク（41）内に加湿用の水（例えば水道水）を適宜補充することができる。また、水タンク（41）の底面には、水車（42）を回転自在に保持するための軸受部材（41a）が立設している。
【００４５】
水車（42）は、水タンク（41）内の水を加湿ロータ（43）に供給するための水供給手段を構成している。水車（42）は、前後に扁平な略円板状に形成され、その軸心部に回転軸（42a）が突設されている。回転軸（42a）は、上記軸受部材（41a）の上端に枢支されている。水車（42）は、水タンク（41）の加湿水中に一部（下端部を含む所定部位）が浸漬するように回転自在に設けられている。
【００４６】
水車（42）には、その後側の側面（上記加湿ロータ（43）に面する側面）の軸周りに複数の凹部（42b）が形成されている。複数の凹部（42b）は、径方向外側に向かうに連れて幅が拡大されるような略台形形状の開口を有している。また、凹部（42b）の開口の周方向の幅は、該凹部（42b）の内部空間の周方向の幅よりも狭くなっている。更に、凹部（42b）の径方向内側の内壁は、開口端に向かうに連れて徐々に軸心側に近づくように傾斜している。各凹部（42b）は、水車（42）の径方向外側端部において周方向に等間隔で配列されている。回転動作中の水車（42）では、凹部（42b）が水タンク（41）の水中に浸漬する位置と、水中から引き出される位置とを交互に変位する。
【００４７】
また、水車（42）の後側の側面には、その軸心寄りの部位に歯車（42c）が一体的に形成されている。歯車（42c）は、後述する加湿ロータ（43）の従動歯車（43a）と噛み合うように構成されている。
【００４８】
加湿ロータ（43）は、空気中へ水分を放出して空気を加湿する調湿部材であって、調湿ロータを構成している。加湿ロータ（43）は、環状の従動歯車（43a）と、この従動歯車（43a）に内嵌して保持される円板状の吸着部材（43b）とを有している。吸着部材（43b）は、水分を吸収／吸着する吸水材を構成している。更に詳細には、吸着部材（43b）は、複数の通気孔を有するハニカム構造の基材の表面に吸着剤が担持されて構成されている。上記吸着剤としては、粒状のゼオライト等、水分に対する吸着性能に優れた材料が用いられる。また、吸着剤を基材に担持させるためのバインダーとしては、変性ポリフェニレンエーテル、ポリスチレン、ＡＢＳ樹脂（アクリルニトリル−ブタジエン−スチレン共重合合成樹脂）等の熱可塑性樹脂が用いられる。
【００４９】
加湿ロータ（43）は、上記水タンク（41）の満水時の水位よりも高い位置において、回転軸を介して回転自在に保持されている。また、加湿ロータ（43）は、その下端を含む所定部位が上記水車（42）と実質的に接触するように配置されている。つまり、加湿ロータ（43）は、水車（42）の凹部（42b）と軸方向に一致する部位を有している。これにより、加湿ロータ（43）には、水車（42）の凹部（42b）によって汲み上げられた加湿水が吸着部材（43b）に吸収／吸着される。
【００５０】
駆動モータ（44）は、駆動歯車（44a）を有している。駆動歯車（44a）は、ピニオン（45）を介して加湿ロータ（43）の従動歯車（43a）と歯合している。即ち、駆動モータ（44）が駆動歯車（44a）を回転駆動させると、ピニオン（45）及び従動歯車（43a）が回転し、更に従動歯車（43a）と歯合する水車（42）が回転する。
【００５１】
図２に示すヒータ（48）は、加湿ロータ（43）を加熱する加熱手段を構成している。ヒータ（48）は、加湿ロータ（43）の上流側の側面の上端部に近接して配置されている。ヒータ（48）は、通電状態となることで加湿ロータ（43）へ流入する空気を加熱するように構成されている。
【００５２】
水浄化用放電部（50）は、加湿ロータ（43）中の水分を浄化するための活性種を発生するように放電を行う放電手段を構成している。水浄化用放電部（50）は、加湿ロータ（43）の径方向側端部寄りに配置されている（図４(Ａ)を参照）。水浄化用放電部（50）は、第１電極としての棒状電極（51）と、第２電極としての網状電極（52）とを有している。棒状電極（51）は、加湿ロータ（43）の上流側の側面に対向しており、網状電極（52）は、加湿ロータ（43）の下流側の側面に対向している。即ち、図４(Ｂ)及び図４(Ｃ)に示すように、棒状電極（51）と網状電極（52）とは、加湿ロータ（43）を挟むように加湿ロータ（43）の厚さ方向の両側に設けられている。棒状電極（51）は、水平な姿勢で保持される基板（51a）に支持部（51b）を介して支持されている。棒状電極（51）は、水平に延びる細長い線状に構成され、略円形状の縦断面を有している。網状電極（52）は、水平に延びる板状であって、複数の通気孔を有するメッシュ状に形成されている。棒状電極（51）と網状電極（52）とは、互いに平行な姿勢となり、棒状電極（51）と網状電極（52）とが、加湿ロータ（43）を挟んで互いに対向している。
【００５３】
棒状電極（51）は電源（18）の正極側に接続され、網状電極（52）は電源（18）の負極側（又はアース側）に接続されている。電源（18）から両者の電極（51,52）に電位差が付与されると、加湿ロータ（43）を挟むようにして両電極（51,52）の間でストリーマ放電が行われる。即ち、水浄化用放電部（50）では、加湿ロータ（43）の一部を指向するようにストリーマ放電が生起する。その結果、両電極（51,52）の間では、ストリーマ放電に伴って活性種（ラジカル、オゾン、高速電子、励起分子等）が発生する。なお、電源（18）から水浄化用放電部（51）へは、直流の高圧電圧が供給されることが好ましく、更には水浄化用放電部（51）の放電電流が一定となるような、いわゆる定電流制御を行うことが好ましい。
【００５４】
以上のようにして、加湿ロータ（43）は、その周方向に連続する３つの領域（Ａ１，Ａ２，Ａ３）に跨りながら回転自在に構成されている（図４(Ａ)を参照）。具体的に説明すると、加湿ロータ（43）と水車（42）とが軸方向に重複する領域は、水供給領域（A1）を構成している。水供給領域（A1）は、水車（42）から加湿ロータ（43）の吸着部材（43b）へ水を供給するための領域である。また、水浄化用放電部（50）と加湿ロータ（43）とが軸方向に重複する領域は、放電領域（A2）を構成している。放電領域（A2）は、水浄化用放電部（50）で放電が行われて活性種が発生する領域である。更に、ヒータ（48）と加湿ロータ（43）とが軸方向に重複する領域は、加熱領域（A3）を構成している。加熱領域（A3）は、ヒータ（48）によって加熱された空気が流れる領域であって、加湿ロータ（43）から空気中へ水分が放出される領域である。
【００５５】
−運転動作−
実施形態１に係る調湿装置（10）では、室内空気を浄化すると同時に室内空気を加湿する加湿運転が行われる。
【００５６】
加湿運転では、遠心ファン（15）が運転されることで室内の空気が吸込口（12）を通じて空気通路（14）内に導入される。また、加湿ロータ（43）が回転駆動されると共にヒータ（48）が通電状態となる。更に、イオン化部（22）の電極に電圧が印加されると共に、電源（18）から水浄化用放電部（50）の両電極（51,52）に電圧が印加される。
【００５７】
図２に示すように、空気通路（14）に流入した空気は、プレフィルタ（21）を通過して塵埃が捕捉された後、イオン化部（22）を通過する。イオン化部（22）では、電極間でコロナ放電が行われており、空気中の塵埃が帯電される。イオン化部（22）を流出した空気は、プリーツフィルタ（23）を通過する。プリーツフィルタ（23）では、帯電した塵埃が電気的に誘引されて捕捉される。プリーツフィルタ（23）を流出した空気は、ヒータ（48）で加熱された後、加湿ロータ（43）を通過する。
【００５８】
ここで、加湿ユニット（40）では、水車（42）が回転することで、水タンク（41）内の加湿水が加湿ロータ（43）の吸着部材（43b）に適宜供給される。具体的に、水車（42）では、水タンク（41）に貯留された加湿水中に凹部（42b）が浸漬する。これにより、加湿水中では、凹部（42b）内に加湿水が侵入して保持される。加湿水を保持した状態の凹部（42b）は、加湿水中から引き上げられて更に上方へ変位する。この凹部（42b）が加湿ロータ（43）に徐々に近接していくと、凹部（42b）内に保持された加湿水も自重により徐々に凹部（42b）内から流出する。そして、凹部（42b）が最上端位置に変位する際には、凹部（42b）内の加湿水が概ね全量流出することになる。
【００５９】
凹部（42b）から流出した加湿水は、該凹部（42b）と近接する加湿ロータ（43）と接触し、吸着部材（43b）に吸収／吸着される。即ち、図４(Ａ)に示すように、加湿ロータ（43）では、水供給領域（A1）に臨む部位に加湿水が連続的に供給される。
【００６０】
加湿ロータ（43）が更に回転すると、水供給領域（A1）に位置していた部位が、放電領域（A2）に変位する。放電領域（A2）では、棒状電極（51）と網状電極（52）の間でストリーマ放電が行われており、両電極（51,52）の間で上記活性種が発生する。この活性種は、加湿ロータ（43）の通気孔を流通しながら、加湿ロータ（43）に含まれる水と接触／反応する。その結果、この水に含まれる有害成分（例えばトリハロメタン等の有機性塩素化合物）が酸化分解される。
【００６１】
また、加湿ロータ（43）を通過する空気中には、アンモニア、ホルムアルデヒド、たばこ臭等の有害成分（臭気成分）が含まれることがあり、加湿ロータ（43）の吸着部材（43b）にこれらの有害成分等が吸着／吸収されることがある。従って、上述のように水供給領域（A1）で加湿ロータ（43）に水が供給されると、この水中にこれらの有害成分が吸収されることがある。このような場合には、放電領域（A2）で発生した活性種により、これらの有害成分も酸化分解される。つまり、放電領域（A2）では、水タンク（41）の供給水に由来する有害成分に加えて、被処理空気に由来する有害成分も同時に除去される。更に、加湿ロータ（43）の水分中では、水タンク（41）の供給水に由来する菌や、被処理空気に由来する菌が繁殖することがある。放電領域（A2）では、上記活性種により、加湿ロータ（43）の水分中で殺菌も行われる。以上のように、放電領域（A2）では、加湿ロータ（43）の吸着部材（43b）に含まれる水の浄化が連続的に行われる。
【００６２】
次いで、加湿ロータ（43）が更に回転すると、放電領域（A2）に位置していた部位が、加熱領域（A3）に変位する。加熱領域（A3）では、ヒータ（48）によって加熱された空気が加湿ロータ（43）を流通している。その結果、加熱領域（A3）では、加湿ロータ（43）の吸着部材（43b）が加熱され、吸着部材（43b）から水分が脱離／脱着する。その結果、加熱領域（A3）では、加湿ロータ（43）から空気中へ水分が放出される。
【００６３】
以上のようにして、加湿ロータ（43）で加湿された空気は、吹出口（13）を通じて室内へ供給される。ここで、室内の加湿に利用される水は、加熱領域（A3）で加湿ロータ（43）から放出される直前に、上記放電領域（A2）で浄化されている。従って、調湿装置（10）の加湿水によって室内の清浄度が損なわれてしまうこともない。
【００６４】
−実施形態１の効果−
上記実施形態１では、水浄化用放電部（50）で発生させた活性種により、加湿ロータ（43）に含まれる水の浄化を行うようにしている。即ち、加湿ロータ（43）には、被処理空気中の有害成分や臭気成分等が吸着／吸収されることがあるが、上記活性種により加湿ロータ（43）中の水分の有害成分等を酸化分解して除去できる。また、上記活性種により加湿ロータ（43）中の水分での殺菌を行うことができる。従って、加湿ロータ（43）から空気中へ放出される加湿水の清浄度を保つことができ、ひいては加湿水が付与される室内の清浄度を保つことができる。
【００６５】
また、上記実施形態１では、水タンク（41）中の水道水を加湿ロータ（43）へ供給するようにしているが、水浄化用放電部（50）で発生させた活性種により、この水（供給水）中に含まれるトリハロメタン等の有機性塩素化合物を除去できる。従って、加湿水を一層効果的に清浄化できる。
【００６６】
また、この水浄化用放電部（50）では、電力消費が比較的小さく活性種を高密度に発生できるストリーマ放電を行うようにしている。従って、調湿装置（10）の省エネ性を確保しながら、加湿ロータ（43）中の水分を高効率に浄化することができる。
【００６７】
更に、棒状電極（51）と網状電極（52）との間に加湿ロータ（43）を配置することで、両電極（51,52）の間で発生する活性種と、加湿ロータ（43）中の水分との接触効率を高めることができ、この水分の浄化効率を向上できる。
【００６８】
また、加湿ロータ（43）は、その一部が水供給領域（A1）、放電領域（A2）、及び加熱領域（A3）を順に通過するように構成されている。このため、まず、水供給領域（A1）で加湿ロータ（43）に水を補給してこの水中に有害成分等を吸収させた後、放電領域（A2）で発生する活性種により、吸収された有害成分等を確実に除去できる。また、放電領域（A2）で水を確実に浄化した後に、この水を加熱領域（A3）において空気中へ放出させることができる。従って、室内へ清浄な加湿水を確実に供給できる調湿装置（10）を提供できる。
【００６９】
−実施形態１の変形例−
上記実施形態１において、水浄化用放電部（50）を以下のような各変形例の構成とすることもできる。
【００７０】
〈変形例１〉
図５(Ａ)及び(Ｂ)に示すように、変形例１の水浄化用放電部（50）では、加湿ロータ（43）の上流側に上記棒状電極（51）と網状電極（52）との双方が配置されている。即ち、変形例１では、棒状電極（51）が加湿ロータ（43）の上流側の側面に対向するように配置され、網状電極（52）が棒状電極（51）と加湿ロータ（43）との間に介設されている。
【００７１】
変形例１の水浄化用放電部（50）では、その上流側において、棒状電極（51）から網状電極（52）に向かってストリーマ放電が行われる。つまり、棒状電極（51）からは、加湿ロータ（43）を指向するように放電が行われる。その結果、放電領域（A2）では、放電に伴って活性種が発生し、加湿ロータ（43）に含まれる水が浄化される。この際、活性種は、網状電極（52）の通気孔を通過しながら、加湿ロータ（43）へ供給される。
【００７２】
以上のように、変形例１の加湿ロータ（43）においても、放電領域（A2）に臨む部位に含まれる水が浄化され、浄化後の水が加熱領域（A3）で空気中へ放出される。その結果、加湿水によって室内の清浄度が損なわれてしまうことが回避される。
【００７３】
〈変形例２〉
図６に示すように、変形例２では、放電領域（A2）と加熱領域（A3）とが略一致する位置に形成されている。具体的に、変形例２では、上記実施形態１と同様、加湿ロータ（43）の上端部寄りにヒータ（48）が配置される一方、ヒータ（48）と加湿ロータ（43）の間に棒状電極（51）が介設されている。また、図６の例では、棒状電極（51）と網状電極（52）とが、上記実施形態１と同様、加湿ロータ（43）を挟むように設けられている。
【００７４】
この変形例２では、放電領域（A2）で加湿ロータ（43）の水が浄化されると共に、同じ位置の領域（即ち、加熱領域（A3））で加湿ロータ（43）が加熱されて水が空気中へ放出される。つまり、変形例２の加湿ロータ（43）では、水の浄化と水の放出とが同じ部位で行われる。この例では、水を浄化するためのスペースと、加湿ロータ（43）を加熱するためのスペースとが兼用されるので、装置の小型化を図ることができる。また、この例では、放電領域（A2）での放電に伴う発熱を利用して、加湿ロータ（43）を加熱することもできる。従って、加湿ロータ（43）での水の放出能力（即ち、加湿ロータ（43）の再生能力）を向上できる一方、ヒータ（48）の容量を小さくすることができる。
【００７５】
なお、放電領域（A2）と加熱領域（A3）とを略一致する位置に形成する場合には、例えば図７に示すように、棒状電極（51）と網状電極（52）とを上記の変形例１のようにして加湿ロータ（43）の上流側に配置しても良い。
【００７６】
《実施形態２》
実施形態２に係る調湿装置（10）は、空気を加湿する加湿運転と空気を除湿する除湿運転とが可能に構成されている。また、調湿装置（10）は、空気を浄化するための種々の空気浄化手段（20）を有している。
【００７７】
〈調湿装置の全体構成〉
図８に示すように、調湿装置（10）は、実施形態１と同様のケーシング（11）を有している。即ち、実施形態２のケーシング（11）には、その前側の前面パネル（11a）に吸込口（12）が形成され、その後方寄りの上部に吹出口（13）が形成され、吸込口（12）から吹出口（13）に亘って空気通路（14）が形成されている。
【００７８】
実施形態２の空気通路（14）には、空気の流れの上流側から下流側に向かって順に、プレフィルタ（21）、イオン化部（22）、プリーツフィルタ（23）、脱臭部材（24）、除湿ユニット（30）、加湿ユニット（40）、及び遠心ファン（15）が設けられている。
【００７９】
また、遠心ファン（15）の上方で且つ吹出口（13）の下側には、返送通路（16）の流入端が開口している。つまり、返送通路（16）には、空気通路（14）から吹出口（13）へ流出する空気の一部が分流する。返送通路（16）は、上記空気通路（14）と区画されるように前後に延びる空間を構成している。返送通路（16）の流出端は、上記プレフィルタ（21）の上流側と繋がっている。また、返送通路（16）の流出端近傍には、空気浄化用放電部（25）が形成されている。
【００８０】
図９に示すように、プレフィルタ（21）の前側には、上記返送通路（16）と連通する案内通路（17）が形成されている。案内通路（17）は、例えば上記前面パネル（11a）の背面側に形成される仕切部材等によって区画形成されている。案内通路（17）は、返送通路（16）を流出した空気をプレフィルタ（21）の幅方向の中間部まで案内し、この空気を左右側方に流出させてプレフィルタ（21）側へ送るように構成されている（図９の矢印を参照）。以上のように、実施形態２の調湿装置（10）は、空気通路（14）の流出側の空気の一部を上記空気浄化用放電部（25）を通じて空気通路（14）の流入側へ返送するように構成されている。
【００８１】
また、図８に示すように、ケーシング（11）の前面パネル（11a）側には、室内の湿度を検出するための湿度センサ（19）が設けられている。湿度センサ（19）は、室内空気の絶対湿度又は相対湿度を検出する湿度検出手段を構成している。また、ケーシング（11）内には、湿度センサ（19）の検出湿度に基づいて、詳細は後述する除湿運転と加湿運転とを切り換える制御手段（図示省略）が設けられている。
【００８２】
〈空気浄化手段の構成〉
図８に示すように、調湿装置（10）は、空気を浄化するための空気浄化手段（20）として、プレフィルタ（21）、イオン化部（22）、プリーツフィルタ（23）、脱臭部材（24）、及び空気浄化用放電部（25）を有している。なお、プレフィルタ（21）、イオン化部（22）、及びプリーツフィルタ（23）は、上記実施形態１と同様の構成である。
【００８３】
脱臭部材（24）は、ハニカム構造の基材の表面に空気を脱臭するための脱臭剤が担持されて構成されている。脱臭剤としては、空気中の被処理成分（臭気物質や有害物質）を吸着する吸着剤や、該被処理成分を酸化分解するための触媒等が用いられる。
【００８４】
空気浄化用放電部（25）では、空気を浄化するためにストリーマ放電が行われる。空気浄化用放電部（25）には、棒状あるいは線状の電極（26）と、平板状の電極（27）とが設けられている。両者の電極（26,27）は、互いに平行に配置されている。電源から両電極（26,27）に電圧が印加されると、棒状の電極（26）の先端から平板状の電極（27）に向かってストリーマ放電が生起される。このストリーマ放電により、空気中には活性種（ラジカル、オゾン、高速電子、励起分子等）が発生する。この活性種が空気中の被処理成分と反応することで、この被処理成分が酸化分解されて除去される。
【００８５】
〈加湿ユニットの構成〉
加湿ユニット（40）は、上記実施形態１と同様の水タンク（41）と水車（42）とを備えている。また、実施形態２の加湿ロータ（43）は、環状の従動歯車（43a）に円板状の吸湿部材（43b）が内嵌している。吸湿部材（43b）は、吸水性を有する不織布によって構成されている。即ち、実施形態２の加湿ロータ（43）は、水分を吸着及び脱着する吸着式ではなく、吸湿部材（43b）に含ませた水分を空気中へ気化させて放出する気化式の調湿部材を構成している。また、実施形態２では、上記実施形態１の水浄化用放電部（50）が加湿ユニット（40）に設けられておらず、後述の除湿ユニット（30）に設けられている。加湿ユニット（40）のそれ以外の構成は、上記実施形態１と同様である。なお、実施形態２の加湿ユニット（40）において、上記実施形態１と同様にして水浄化用放電部（50）を設け、放電領域（A2）で加湿水の浄化を行うようにしても良い。
【００８６】
〈除湿ユニットの構成〉
図１０に示すように、除湿ユニット（30）は、除湿ロータ（31）とカバー部材（32）と循環ファン（33）と除湿用ヒータ（34）とを備えている。
【００８７】
除湿ロータ（31）は、空気中の水分を捕捉して空気を除湿するための調湿部材を構成し、回転式の調湿ロータを構成している。つまり、除湿ロータ（31）は、前後に空気が流通可能な通気孔を有するハニカム構造の基材の表面に吸水材（吸着剤）が担持されて構成されている。また、除湿ロータ（31）は、回転軸（31a）が所定の駆動源（図示省略）によって回転駆動されることで、回転自在に構成されている。以上のように、除湿ロータ（31）は、実施形態１の加湿ロータ（43）と同様に構成されている。
【００８８】
カバー部材（32）は、その内部に上記除湿ロータ（31）を保持している。具体的に、カバー部材（32）は、前後に扁平な略矩形状に形成され、その上部寄りに円形開口（32a）が形成されている。円形開口（32a）は、カバー部材（32）を前後に貫通しており、その内部に上記除湿ロータ（31）が回転自在に保持されている。これにより、空気通路（14）を流れる空気は、円形開口（32a）を介して除湿ロータ（31）を通過する。
【００８９】
また、カバー部材（32）には、除湿ロータ（31）の吸着剤を再生するための空気（再生用空気）が流れる循環通路（35）が形成されている。具体的に、カバー部材（32）には、除湿ロータ（31）の外回りに上記循環通路（35）が形成されており、この循環通路（35）に跨るように上記循環ファン（33）及び除湿用ヒータ（34）が設けられている。更に詳細には、カバー部材（32）では、第１から第４までのカバー通路部（35a,35b,35c,35d）及び循環ファン（33）が閉ループ状に接続されることで、上記循環通路（35）が構成されている。
【００９０】
循環ファン（33）と第１カバー通路部（35a）とは、カバー部材（32）の上端部後側に形成されている。第１カバー通路部（35a）は、その流入端が循環ファン（33）の吹出側と連通している。また、第１カバー通路部（35a）の流出端部には、上記除湿用ヒータ（34）が収納されている。つまり、除湿用ヒータ（34）は、除湿ロータ（31）の後側に設けられている（図８を参照）。除湿用ヒータ（34）は、循環通路（35）における除湿ロータ（31）の上流側の空気を加熱する加熱手段を構成している。
【００９１】
第２カバー通路部（35b）は、除湿ロータ（31）を挟んで上記第１カバー通路部（35a）と概ね反対側の部位に設けられている。第１カバー通路部（35a）と第２カバー通路部（35b）とは、除湿ロータ（31）を介して互いに連通している。また、第２カバー通路部（35b）は、その外形が扇状に形成され、除湿ロータ（31）の側面の約４分の１程度の部位を覆っている。
【００９２】
第３カバー通路部（35c）は、カバー部材（32）において、除湿ロータ（31）の下側略半分を囲むように形成されている。第３カバー通路部（35c）の流入端は、第２カバー通路部（35b）の下端部と接続している。また、第３カバー通路部（35c）の流出端は、第４カバー通路部（35d）を介して循環ファン（33）の吸込側と繋がっている。
【００９３】
第３カバー通路部（35c）には、前後に貫通する複数の連通穴部（37）が形成されている。各連通穴部（37）は、その通路断面が上下に縦長の略楕円状に形成され、空気通路（14）を流れる空気（被処理空気）が内部を流通可能に構成されている。また、複数の連通穴部（37）は、除湿ロータ（31）の径方向外側を囲むように配列されている。
【００９４】
第３カバー通路部（35c）では、上記の再生用空気と被処理空気とが熱交換することで、再生用空気中の水分が凝縮される（詳細は後述する）。なお、第３カバー通路部（35c）で凝縮した水は、図示しない流路を通じて後述する水タンク（41）へ回収される。
【００９５】
図１１に示すように、実施形態２の除湿ユニット（30）には、上述した水浄化用放電部（50）が設けられている。水浄化用放電部（50）は、除湿ロータ（31）の近傍であって、その回転方向における除湿用ヒータ（34）よりも手前側に設けられている。即ち、除湿ユニット（30）では、除湿用ヒータ（34）の周囲に加熱領域（A3）が形成される一方、加熱領域（A3）よりも回転方向の手前側に放電領域（A2）が形成されている。
【００９６】
水浄化用放電部（50）は、上記実施形態１と同様にして、棒状電極（51）と網状電極（52）とを有している。即ち、棒状電極（51）と網状電極（52）とは、互いに平行な姿勢となりながら、除湿ロータ（31）を挟むように配置されている。電源（18）から両電極（51,52）へ電位差が付与されると、棒状電極（51）から網状電極（52）に向かって、除湿ロータ（31）の一部を指向するようにストリーマ放電が行われる。
【００９７】
−運転動作−
実施形態２に係る調湿装置（10）は、室内を除湿する除湿運転と、室内を加湿する加湿運転とを切り換えて行う。また、除湿運転や加湿運転では、上述した各種の空気浄化手段（20）によって空気の浄化が同時に行われる。
【００９８】
〈除湿運転〉
除湿運転では、除湿ロータ（31）が回転すると共に、除湿用ヒータ（34）が通電状態となる。一方、加湿ロータ（43）は回転駆動されず、よって加湿ロータ（43）に連動して回転する水車（42）も停止状態となる。また、遠心ファン（15）が運転されることで、室内の空気が吸込口（12）を通じて空気通路（14）内に導入され、循環ファン（33）が運転されることで循環通路（35）内を再生用空気が循環する。更に、電源からは、空気浄化用放電部（25）の電極（26,27）、及びイオン化部（22）の電極に電圧がそれぞれ印加される。
【００９９】
図８に示すように、空気通路（14）に流入した空気は、プレフィルタ（21）を通過して塵埃が捕捉された後、イオン化部（22）を通過する。イオン化部（22）では、電極間でコロナ放電が行われており、空気中の塵埃が帯電される。イオン化部（22）を流出した空気は、プリーツフィルタ（23）を通過する。プリーツフィルタ（23）では、帯電した塵埃が電気的に誘引されて捕捉される。プリーツフィルタ（23）を流出した空気は、脱臭部材（24）を通過する。脱臭部材（24）では、空気中に含まれる被処理成分が吸着剤に吸着され、あるいは触媒によって酸化分解される。
【０１００】
ところで、空気通路（14）の流出端部では、遠心ファン（15）の吹出側（陽圧側）の空気の一部が返送通路（16）に流入している。返送通路（16）を流れる空気は、前方に送られて空気浄化用放電部（25）を流れる。空気浄化用放電部（25）では、互いに対向する電極（26,27）の間でストリーマ放電が行われている。その結果、空気浄化用放電部（25）では、ストリーマ放電に伴い上述の活性種が発生する。この活性種を含んだ空気は、返送通路（16）及び案内通路（17）を通じて、プレフィルタ（21）の上流側を流れる空気と合流する（図９を参照）。従って、空気通路（14）では、その流入端から流出端に亘って上記活性種が流れることになり、空気中の被処理成分と活性種との反応時間が確保されて脱臭性能が向上する。
【０１０１】
除湿運転時には、脱臭部材（24）を通過した空気が、除湿ロータ（31）を通過する。除湿ロータ（31）では、空気中に含まれる水分が吸着剤に吸着され、この空気が除湿される。以上のようにして清浄化及び除湿された空気は、吹出口（13）を通じて室内へ供給される。
【０１０２】
一方、順次回転する除湿ロータ（31）では、空気中の水分が吸着された部位が連続的に変位している。具体的に、水分が吸着された部位は、まず、放電領域（A2）まで変位する。ここで、放電領域（A2）では、水浄化用放電部（50）でストリーマ放電が行われている。このストリーマ放電に伴い活性種が発生すると、除湿ロータ（31）に含まれる水と活性種とが反応し、水中に吸収される有害成分等が除去され、更には水中での殺菌が行われる。
【０１０３】
除湿ロータ（31）において、放電領域（A2）で水が浄化された部位は、カバー部材（32）の内部の加熱領域（A2）まで変位する。加熱領域（A2）では、循環ファン（33）から吹き出された空気が、第１カバー通路部（35a）を流出して除湿用ヒータ（34）に加熱される。そして、加熱後の空気が除湿ロータ（31）の上記吸湿部位を通過する。その結果、吸湿部位の吸着剤が加熱され、吸着剤から水分が脱離（脱着）する。除湿ロータ（31）の吸着剤の再生に利用され、高湿となった空気は、第２カバー通路部（35b）を介して第３カバー通路部（35c）に流入する。
【０１０４】
第３カバー通路部（35c）では、空気通路（14）側の空気が各連通穴部（37）を流通している。従って、循環通路（35）側の再生用空気は、連通穴部（37）の側壁を介して空気通路（14）側の被処理空気と熱交換する。ここで、再生用空気は被処理空気と比較して高温であり、且つ飽和状態に近い水分を含んでいる。その結果、第３カバー通路部（35c）では、再生用空気が冷却されると共に、この空気中に含まれる水蒸気が凝縮する。第３カバー通路部（35c）で凝縮した水は、自重により所定の流路を流下して水タンク（41）に回収される。ここで、水タンク（41）に回収される水は、上述した放電領域（A2）での活性種により浄化されている。従って、水タンク（41）には、清浄な水が適宜送られることになる。
【０１０５】
第３カバー通路部（35c）で低湿となった空気は、第４カバー通路部（35d）を介して循環ファン（33）に吸い込まれ、再び第１カバー通路部（35a）に送られて除湿ロータ（31）の吸着剤の再生に利用される。
【０１０６】
〈加湿運転〉
加湿運転では、駆動モータ（44）によって加湿ロータ（43）及び水車（42）が回転駆動される。一方、除湿ロータ（31）は回転駆動されず、除湿用ヒータ（34）及び循環ファン（33）は停止状態となる。また、遠心ファン（15）が運転されることで、室内の空気が吸込口（12）を通じて空気通路（14）内に導入されると共に、電源（18）からは空気浄化用放電部（25）及びイオン化部（22）の各電極へ電圧が印加される。
【０１０７】
図８に示すように、空気通路（14）に流入した空気は、上記除湿運転と同様に、各種の空気浄化手段によって清浄化される。清浄化された空気は、実質的に除湿動作を行わない除湿ロータ（31）を通過した後、加湿ロータ（43）へ流入する。
【０１０８】
ここで、加湿ユニット（40）では、水車（42）が回転することで、水タンク（41）内の加湿水が加湿ロータ（43）の吸湿部材（43b）に適宜供給される。具体的に、水車（42）では、水タンク（41）に貯留された加湿水中に凹部（42b）が浸漬する。これにより、加湿水中では、凹部（42b）内に加湿水が侵入して保持される。加湿水を保持した状態の凹部（42b）は、加湿水中から引き上げられて更に上方へ変位する。この凹部（42b）が加湿ロータ（43）に徐々に近接していくと、凹部（42b）内に保持された加湿水も自重により徐々に凹部（42b）内から流出する。そして、凹部（42b）が最上端位置に変位する際には、凹部（42b）内の加湿水が概ね全量流出することになる。
【０１０９】
凹部（42b）から流出した加湿水は、該凹部（42b）と近接する加湿ロータ（43）と接触し、吸湿部材（43b）に吸収される。このような動作により、加湿ユニット（40）では、加湿ロータ（43）に連続的に加湿水が供給される。
【０１１０】
加湿ロータ（43）では、水分が補給された部位を空気が流通する。その結果、吸湿部材（43b）に含まれた加湿水が空気中へ放出され、これにより空気の加湿が行われる。以上のようにして清浄化及び加湿された空気は、吹出口（13）を通じて室内へ供給される。
【０１１１】
〈その他の運転動作〉
上記加湿運転や除湿運転では、電源（18）からイオン化部（22）や空気浄化用放電部（25）への電圧の供給を停止させることで、空気の浄化を積極的に行わない運転を行うことも可能である。また、除湿ユニット（30）の除湿動作や加湿ユニット（40）の加湿動作を実質的に停止させる一方、イオン化部（22）や空気浄化用放電部（25）で上記の放電を行うことで、空気の調湿を行わずに空気の浄化を行う空気清浄運転を行うことも可能である。
【０１１２】
〈自動運転モード〉
調湿装置（10）では、上述した除湿運転と加湿運転とを自動的に変更する自動運転モードも可能となっている。この自動運転モードでは、湿度センサ（19）で検出した室内空気の湿度に基づいて除湿運転と加湿運転とが自動的に切り換えられる。
【０１１３】
具体的に、自動運転モード時において、湿度センサ（19）で検出した湿度が目標湿度（例えばユーザーが設定する設定湿度）よりも高い場合、上記除湿運転が行われる。その結果、上述の如く除湿ユニット（30）で空気が除湿され、室内の湿度が目標湿度へと収束していく。また、この際、除湿ロータ（31）で捕捉された水は、水タンク（41）へ回収される。
【０１１４】
一方、自動運転モード時において、湿度センサ（19）で検出した湿度が目標湿度以下である場合、上記加湿運転が行われる。その結果、上述の如く加湿ユニット（40）で空気が加湿され、室内の湿度が目標湿度へと収束していく。
【０１１５】
上記加湿運転時には、上記除湿ロータ（31）で捕捉されて水タンク（41）へ回収された水が水車（42）を介して加湿ロータ（43）へ供給される。つまり、この調湿装置（10）では、除湿運転時に水タンク（41）へ回収された水が、加湿運転時の加湿水として利用される。
【０１１６】
ここで、除湿運転時に水タンク（41）へ回収された水は、上述の如く放電領域（A2）で浄化されている。従って、その後の加湿運転時に水タンク（41）の水が加湿水として室内へ供給されても、室内の清浄度が損なわれてしまうことが回避される。
【０１１７】
−実施形態２の効果−
上記実施形態２では、水浄化用放電部（50）で発生させた活性種により、除湿ロータ（31）に捕捉された水の浄化を行うようにしている。即ち、除湿ロータ（31）には、被処理空気中の有害成分や臭気成分等が吸着／吸収されることがあるが、上記活性種により除湿ロータ（31）中の水分の有害成分等を酸化分解して除去できる。また、上記活性種により除湿ロータ（31）中の水分での殺菌を行うことができる。その結果、除湿ロータ（31）を常時清浄な状態にでき、除湿ロータ（31）からの悪臭の発生等を防止できる。
【０１１８】
また、実施形態２では、除湿運転時に除湿ロータ（31）で捕捉した水を水タンク（41）へ回収すると共に、この水を加湿運転時の加湿水に利用している。ここで、水タンク（41）へ回収される水は、上記活性種により未然に浄化されているので、この水を加湿水に利用しても室内の清浄度が損なわれてしまうことを回避できる。
【０１１９】
なお、上記実施形態２の構成においても、上述の各変形例の水浄化用放電部（50）を適用できるのは勿論のことである。また、以上の実施形態は、本質的に好ましい例示であって、本発明、その適用物、あるいはその用途の範囲を制限することを意図するものではない。
【産業上の利用可能性】
【０１２０】
以上説明したように、本発明は、空気を調湿する調湿部材を備えた調湿装置に関し、特に調湿部材に含まれる水の浄化対策について有用である。
【図面の簡単な説明】
【０１２１】
【図１】図１は、実施形態１に係る調湿装置の全体構成を示す斜視図であり、水タンクをケーシングから引き出した状態を示すものである。
【図２】図２は、実施形態１に係る調湿装置の内部を表した概略の縦断面図である。
【図３】図３は、加湿ユニットの斜視図である。
【図４】図４は、加湿ユニットの構成を模式的に表した図であり、図４(Ａ)は、加湿ユニットを前方から視た図であり、図４(Ｂ)は、加湿ユニットを側方から視た図であり、図４(Ｃ)は、図４(Ａ)のＣ−Ｃ断面図である。
【図５】図５は、変形例１の加湿ユニットの構成を模式的に表した図であり、図５(Ａ)は、加湿ユニットを側方から視た図であり、図５(Ｂ)は、図５(Ａ)のＢ−Ｂ断面図である。
【図６】図６は、変形例２の加湿ユニットの構成を模式的に表した図であり、加湿ユニットを側方から視た図である。
【図７】図６は、変形例２のその他の例の加湿ユニットの構成を模式的に表した図であり、加湿ユニットを側方から視た図である。
【図８】図８は、実施形態２に係る調湿装置の内部を表した概略の縦断面図である。
【図９】図９は、調湿装置の内部を前面パネルの背面側から視た図である。
【図１０】図１０は、除湿ユニットの斜視図である。
【図１１】図１１は、除湿ユニットの構成を模式的に表した図であり、除湿ユニットを前方から視た図である。
【符号の説明】
【０１２２】
20    空気浄化手段
31    除湿ロータ（調湿部材）
42    水車（水供給手段）
43    加湿ロータ（調湿部材）
48    ヒータ（加熱手段）
50    水浄化用放電部（放電手段）
51    棒状電極（第１電極）
52    平板電極（第２電極）
A1    水供給領域
A2    放電領域
A3    加熱領域
【図１】
2009154118.tif 000003
【図２】
2009154118.tif 000004
【図３】
2009154118.tif 000005
【図４】
2009154118.tif 000006
【図５】
2009154118.tif 000007
【図６】
2009154118.tif 000008
【図７】
2009154118.tif 000009
【図８】
2009154118.tif 000010
【図９】
2009154118.tif 000011
【図１０】
2009154118.tif 000012
【図１１】
2009154118.tif 000013